(57)【特許請求の範囲】
【請求項１】
蒸散させるための液体が含浸される含浸体と、含浸体を覆うように配置される被覆手段とを備える蒸散具であって、
被覆手段は、含浸体が露出される領域を次第に拡大させるべく、気化するのに伴って容積が縮小する粒状の縮小体を複数備えることを特徴とする蒸散具。
【請求項２】
複数の縮小体は、含浸体を覆うように配置される請求項１に記載の蒸散具。
【請求項３】
液体及び縮小体のうち、一方は、油性の材質で形成されると共に、他方は、水性の材質で形成され、
縮小体は、含浸体に接して配置される請求項２に記載の蒸散具。
【発明の詳細な説明】
【技術分野】
【０００１】
本発明は、液体を蒸散させる蒸散具に関する。
【背景技術】
【０００２】
従来、芳香剤、殺虫剤、忌避剤、殺菌剤等の液体を蒸散させる蒸散具として、蒸散させるための液体が含浸される含浸体を備える蒸散具が知られている（例えば、特許文献１）。斯かる蒸散具によれば、含浸体の上部から液体が蒸散するのに伴って、毛管現象により、液体が含浸体の上部へと次々に供給されるため、含浸体の上部から液体が連続的に蒸散される。
【先行技術文献】
【特許文献】
【０００３】
【特許文献１】実用新案登録第３１５２１６７号公報
【発明の概要】
【発明が解決しようとする課題】
【０００４】
ところで、芳香剤等には、蒸散させる液体以外にも様々な物質が混入されているため、含浸体の上部から液体が蒸散するのに伴って、斯かる物質が含浸体の中に堆積する。これにより、特許文献１に係る蒸散具においては、毛管現象が生じ難くなるため、液体が含浸体の上部に供給され難くなり、液体の蒸散量が次第に減少するという問題が生じる。
【０００５】
よって、本発明は、斯かる事情に鑑み、含浸体から蒸散する液体の量が経時的に減少するのを抑制できる蒸散具を提供することを課題とする。
【課題を解決するための手段】
【０００６】
本発明に係る蒸散具は、蒸散させるための液体が含浸される含浸体と、含浸体を覆うように配置される被覆手段とを備える蒸散具であって、被覆手段は、含浸体が露出される領域を次第に拡大させるべく、気化するのに伴って容積が縮小する粒状の縮小体を複数備えることを特徴とする。
【０００７】
本発明に係る蒸散具によれば、被覆手段が含浸体を覆うように配置されている。そして、複数の縮小体が気化（蒸発又は昇華）するのに伴って、各縮小体の容積が縮小するため、被覆手段に覆われる含浸体の領域が次第に縮小する。これにより、時間が経つのに伴って、露出される含浸体の領域、即ち、液体を蒸散可能な領域を次第に拡大することができる。
【０００８】
さらに、各縮小体が粒状に形成されているため、液体が含浸されている含浸体を覆うように、各縮小体を容易に配置することができる。したがって、製造を簡素化できると共に、含浸体のさまざまな形状に対してフレキシブルに対応することができる。
【０００９】
また、本発明に係る蒸散具においては、複数の縮小体は、含浸体を覆うように配置されてもよい。
【００１０】
斯かる構成の蒸散具によれば、複数の縮小体が含浸体を覆うように配置されている。したがって、複数の縮小体が気化するのに伴って容積を縮小することにより、複数の縮小体に覆われる含浸体の領域が次第に縮小するため、露出される含浸体の領域、即ち、液体を蒸散可能な領域を次第に拡大することができる。
【００１１】
また、本発明に係る蒸散具においては、液体及び縮小体のうち、一方は、油性の材質で形成されると共に、他方は、水性の材質で形成され、縮小体は、含浸体に接して配置されてもよい。
【００１２】
斯かる構成の蒸散具によれば、液体及び縮小体のうち一方が油性の材質で形成されていると共に、液体及び縮小体のうち他方が水性の材質で形成されている。これにより、液体が縮小体に浸透しないため、縮小体が含浸体に接して配置されても、縮小体が経時的に気化して容積を縮小する。したがって、含浸体に対する縮小体の配置をフレキシブルに対応することができる。
【発明の効果】
【００１３】
以上の如く、本発明に係る蒸散具によれば、含浸体の毛管現象が生じ難くなるが、液体を蒸散可能な領域を次第に拡大することで、含浸体から蒸散する液体の量が経時的に減少するのを抑制できるという優れた効果を奏する。
【図面の簡単な説明】
【００１４】
【図１】本発明の一実施形態に係る蒸散具の全体図であって、（ａ）は斜視図、（ｂ）は正面図を示す。
【図２】同実施形態に係る蒸散具の全体分解斜視図を示す。
【図３】同実施形態に係る蒸散具の全体図であって、（ａ）及び（ｂ）はそれぞれ縦断面図を示す。
【図４】本発明の他の実施形態に係る蒸散具の全体図であって、（ａ）は斜視図、（ｂ）は正面図を示す。
【図５】同実施形態に係る蒸散具の全体分解斜視図を示す。
【図６】同実施形態に係る蒸散具の図５のＡ領域における要部拡大図であって、（ａ）は図５のＢ−Ｂ線における断面図、（ｂ）は図５のＣ−Ｃ線における断面図を示す。
【図７】同実施形態に係る蒸散具の要部図であって、（ａ）及び（ｂ）はそれぞれ縦断面斜視図を示す。
【図８】本発明のさらに他の実施形態に係る蒸散具の全体図であって、（ａ）及び（ｂ）はそれぞれ縦断面図を示す。
【発明を実施するための形態】
【００１５】
以下、本発明に係る蒸散具における第１の実施形態について、図１〜図３を参酌して説明する。
【００１６】
本実施形態に係る蒸散具は、図１〜図３に示すように、芳香剤、殺虫剤、忌避剤、殺菌剤等の液体を蒸散させるべく、液体が含浸される含浸体１と、含浸体１を覆うように配置される被覆手段２とを備える。また、蒸散具は、被覆手段２を保持する保持体３と、含浸体１と被覆手段２と保持体３とを収容するカップ状の容器７と、容器７の開口部７１を覆う蓋体８とを備える。なお、本実施形態においては、液体が油性の材質で形成されている。
【００１７】
含浸体１は、略円柱状に形成される本体部１１と、本体部１１よりも小径に形成され、本体部１１の上面から上方に向けて突出する略円柱状の突出部１２とを備える。そして、含浸体１は、毛細現象が生じる材質、例えば、浸透性（吸湿性、吸水性）を有する紙材や綿材等で形成されている。
【００１８】
被覆手段２は、含浸体１が露出される領域を次第に拡大させるべく、気化（蒸発又は昇華）するのに伴って容積が縮小する複数の縮小体２１，…を備える。例えば、縮小体２１として、揮発成分を含有する固形物、具体的には、揮発成分からなる液体を、該液体が気化するのに伴って通過可能となる膜で収容（被覆）した収容体や、揮発成分からなる固体等が挙げられる。
【００１９】
各縮小体２１は、粒状に形成されている。具体的には、各縮小体２１は、球状に形成されている。また、各縮小体２１は、水性の材質で形成されている。そして、複数の縮小体２１，…は、含浸体１を覆うように配置されている。具体的には、複数の縮小体２１，…は、含浸体１の本体部１１に載置されることで、本体部１１の上面に接すると共に、突出部１２の基端側に接しており、これにより、含浸体１における本体部１１の上面と突出部１２の基端側を覆うように配置されている。
【００２０】
保持体３は、板状に形成されており、複数の縮小体２１，…の上に載置されている。そして、保持体３は、含浸体１の突出部１２に挿通される挿通孔３１と、初期（まだ気化していない）の縮小体２１，…が通過するのを防止すべく、初期の縮小体２１，…よりも小さい開口に形成される複数の孔部３２，…とを備える。
【００２１】
本実施形態に係る蒸散具の構成については以上の通りであり、次に、本実施形態に係る蒸散具の製造方法及び使用方法について説明する。
【００２２】
蒸散具を製造する際には、まず、容器７の内部に含浸体１を配置させた後、液体を容器７の内部に注ぎ込む。これにより、含浸体１に液体が含浸される。そして、含浸体１の本体部１１の上に、複数の縮小体２１，…を載置した後、含浸体１の突出部１２が保持部３の挿通孔３１の内部に挿入されるようにして、保持体３を複数の縮小体２１，…の上に載置する。さらに、容器７の開口部７１を塞ぐように、蓋体７で封止することで、蒸散具が完成する。
【００２３】
次に、蒸散具を使用する際には、蓋体８を剥がした後、容器７を床等に載置することで、図３（ａ）に示すように、含浸体１における縮小体２１，…で覆われていない領域、具体的には、突出部１２の上方側から、液体が蒸散される。なお、含浸体１の上方や側方にファン（採番及び図示していない）を配設し、ファンが含浸体１に向けて送風することで、液体が蒸散されるのを促進させる構成を採用してもよい。
【００２４】
このとき、各縮小体２１も時間の経過と共に気化している。これにより、図３（ｂ）に示すように、各縮小体２１が徐々に縮小していくため、含浸体１における縮小体２１，…で覆われる領域が次第に縮小する。したがって、時間が経つのに伴って、含浸体１の本体部１１の上面や、突出部１２の下方側が露出されることになるため、突出部１２の上方側だけでなく、斯かる部位からも、液体が蒸散される。
【００２５】
以上より、本実施形態に係る蒸散具によれば、被覆手段２が含浸体１を覆うように配置されている。そして、複数の縮小体２１，…が気化するのに伴って、各縮小体２１の容積が縮小するため、被覆手段２に覆われる含浸体１の領域が次第に縮小する。
【００２６】
これにより、時間が経つのに伴って、露出される含浸体１の領域、即ち、液体を蒸散可能な領域を次第に拡大することができる。したがって、時間の経過に伴って、含浸体１の毛管現象が生じ難くなったとしても、液体を蒸散可能な領域を次第に拡大することで、含浸体１から蒸散する液体の量が経時的に減少するのを抑制できる。
【００２７】
また、本実施形態に係る蒸散具によれば、各縮小体２１が粒状に形成されているため、液体が含浸されている含浸体１を覆うように、各縮小体２１を容易に配置することができる。したがって、製造を簡素化できると共に、含浸体１のさまざまな形状に対してフレキシブルに対応することができる。
【００２８】
また、本実施形態に係る蒸散具によれば、複数の縮小体２１，…が含浸体１を覆うように配置されている。したがって、複数の縮小体２１，…が気化するのに伴って容積を縮小することにより、複数の縮小体２１，…に覆われる含浸体１の領域が次第に縮小するため、露出される含浸体１の領域を次第に拡大することができる。
【００２９】
また、本実施形態に係る蒸散具によれば、液体が油性の材質で形成されていると共に、各縮小体２１が水性の材質で形成されている。これにより、各縮小体２１が含浸体１に接して配置されているが、液体が各縮小体２１に浸透しないため、各縮小体２１が経時的に気化して容積を縮小できる。
【００３０】
次に、本発明に係る蒸散具における第２の実施形態について、図４〜図７を参酌して説明する。なお、図４〜図７において、図１〜図３の符号と同一の符号を付した部分は、第１実施形態と同一の構成又は要素を表す。
【００３１】
本実施形態に係る蒸散具は、図４〜図７に示すように、芳香剤、殺虫剤、忌避剤、殺菌剤等の液体を蒸散する蒸散部１０と、蒸散部１０で蒸散する液体を貯留し、蒸散部１０に液体を供給する貯留部５とを備える。また、蒸散具は、蒸散部１及び貯留部５を収容する容器７と、容器７の開口部７１を覆う蓋体８とを備える。
【００３２】
蒸散部１０は、蒸散させるための液体が含浸される帯状の含浸体１ａと、含浸体１ａの表面１３，１４同士間に介在される介在体４とを備える。また、蒸散部１０は、含浸体１ａを覆うように配置される被覆手段２ａを備える。なお、本実施形態においては、液体が油性の材質で形成されている。
【００３３】
含浸体１ａは、表面１３，１４同士が重なるように配置されている。具体的には、含浸体１ａは、帯状部材がロール状に巻かれることで形成されている。そして、含浸体１ａは、幅方向の一端部が上端部となり且つ幅方向の他端部が下端部となるように、構成されている。なお、含浸体１ａは、毛細現象が生じる材質、例えば、浸透性（吸湿性、吸水性）を有する紙材や綿材等で形成されている。
【００３４】
介在体４は、筒状に形成される筒状部４１，…を複数備える。また、介在体４は、複数の筒状部４１，…が連続的に連結されることで、帯状に形成されている。そして、介在体４は、ロール状に巻かれることで、含浸体１ａの表面１３，１４に沿って配置されている。具体的には、介在体４は、含浸体１ａの下方側のみに配置されている。
【００３５】
これにより、介在体４は、含浸体１ａの表面１３，１４同士が離間するように、含浸体１ａの表面１３，１４同士間に介在されるため、液体が含浸体１ａの表面１３，１４を介して蒸散する際に流通するための流通路Ｘを含浸体１ａの表面１３，１４に沿って形成する。具体的には、流通路Ｘは、含浸体１ａの下方側においては、各筒状部４１の外周部と含浸体１ａの表面１４との隙間や、各筒状部４１の内部に形成されていると共に、含浸体１ａの上方側においては、表面１３，１４同士間に形成されている。
【００３６】
また、介在体４（各筒状部４１）は、含浸体１ａよりも剛性を有する。そして、介在体４（各筒状部４１）は、含浸体１ａから液体を浸透すべく浸透性を有する。具体的には、介在体４（各筒状部４１）は、毛細現象が生じる材質、例えば、浸透性（吸湿性、吸水性）を有する紙材等で形成されている。
【００３７】
各筒状部４１は、筒状に形成されているため、内部が流通路Ｘとなるように機能する。そして、複数の筒状部４１，…は、外周部が含浸体１ａの表面１３，１４に接するように、含浸体１ａの表面１３，１４に沿って並列されている。さらに、各筒状部４１，…は、長手方向（軸線方向）が含浸体１ａの表面１３，１４同士が重なる方向と直交する方向、即ち、上下方向、さらに換言すると、含浸体１ａの幅方向に沿って配置されている。
【００３８】
なお、本実施形態においては、介在体４は、平面状の平面部材４２の一方側の表面に、凹凸状（波状）の凹凸部材４３が連結されて構成されている。そして、介在体４は、平面部材４２の他方側の表面が含浸体１ａの一方側の表面１３に接し且つ凹凸部材４３の凸部が含浸体１ａの他方側の表面１４に接するようにして、配置されている。具体的には、帯状の含浸体１ａと帯状の介在体４とは、積層されると共に、一体的にロール状に巻かれることで略円柱状の積層体に形成されている。
【００３９】
被覆手段２ａは、含浸体１ａが露出される領域を次第に拡大させるべく、気化（蒸発又は昇華）するのに伴って容積が縮小する縮小体２１，…を複数備える。そして、各縮小体２１は、粒状、具体的には、球状に形成されている。
【００４０】
また、各縮小体２１は、含浸体１ａの表面１３，１４に接して配置されている。具体的には、複数の縮小体２１，…は、含浸体１ａの上方側の表面１３，１４を覆うように、含浸体１ａの表面１３，１４同士間に配置されている。そして、複数の縮小体２１，…は、上下方向で積み重ねられると共に、最下段の縮小体２１は、筒状部４１の上端の上に載置されている。また、各縮小体２１は、水性の材質で形成されている。
【００４１】
貯留部５は、円盤状に形成されている。そして、貯留部５は、含浸体１ａと介在体４とで構成される積層体に載置される。即ち、貯留部５は、含浸体１ａ及び介在体４に液体を供給すべく、上面部が含浸体１ａの下端部と介在体４（各筒状部４１）の下端部とに接するように、配置されている。なお、貯留部５は、毛細現象が生じる材質、例えば、浸透性（吸湿性、吸水性）を有する紙材や綿材等で形成されている。
【００４２】
本実施形態に係る蒸散具の構成については以上の通りであり、次に、本実施形態に係る蒸散具の製造方法及び使用方法について説明する。
【００４３】
蒸散具を製造する際には、まず、帯状の含浸体１ａと帯状の介在体４とを積層させた後、一体的にしてロール状に巻く。そして、接着剤等により、含浸体１ａと介在体４とを互いに固定させることで、略円柱状の積層体が形成される。そして、斯かる積層体（含浸体１ａ及び介在体４）における含浸体１ａの表面１３，１４同士間に複数の縮小体２１，…を挿入することで、蒸散部１０が完成する。
【００４４】
その後、容器７の底部に、貯留部５を配置させる。そして、貯留部５の上に、蒸散部１０を載置した後、液体を容器７の内部に注ぎ込む。これにより、貯留部５、含浸体１ａ、及び介在体４に液体が含浸される。さらに、容器７の開口部７１を塞ぐように、蓋体８で封止することで、蒸散具が完成する。
【００４５】
次に、蒸散具を使用する際には、蓋体８を剥がした後、容器７を床等に載置する。なお、蒸散部１０の上方や側方にファン（採番及び図示していない）を配設し、ファンが蒸散部１０に向けて送風することで、液体が蒸散されるのを促進させる構成を採用してもよい。
【００４６】
すると、初期の段階では、図７（ａ）に示すように、複数の縮小体２１，…は、含浸体１ａの表面１３，１４の上方側を覆っていると共に、介在体４の複数の筒状部４１，…の上端を封止するように、筒状部４１の上方を覆っている。したがって、初期の段階では、含浸体１ａの上端部（上面）からのみ液体が蒸散される。
【００４７】
そして、複数の縮小体２１，…が経時的に気化するのに伴って、各縮小体２１の容積が縮小する。これにより、図７（ｂ）に示すように、複数の縮小体２１，…に覆われる含浸体１ａの表面１３，１４の領域が次第に縮小するため、露出される含浸体１ａの領域、即ち、液体を蒸散可能な領域が次第に拡大する。
【００４８】
しかも、各筒状部４１の上端を封止していた各縮小体２１が縮小するのに伴って、各筒状部４１の上端が開放されることになる。これにより、筒状部４１を介して、液体を蒸散可能な領域も次第に拡大することになる。したがって、含浸体１ａの毛管現象が生じ難くなったとしても、液体を含浸する含浸体１ａから液体を蒸散させることが持続できる。
【００４９】
以上より、本実施形態に係る蒸散具によれば、被覆手段２ａが含浸体１ａを覆うように配置されている。そして、複数の縮小体２１，…が気化するのに伴って、各縮小体２１の容積が縮小するため、被覆手段２ａに覆われる含浸体１ａの領域が次第に縮小する。
【００５０】
これにより、時間が経つのに伴って、露出される含浸体１ａの領域、即ち、液体を蒸散可能な領域を次第に拡大することができる。したがって、時間の経過に伴って、含浸体１ａの毛管現象が生じ難くなったとしても、液体を蒸散可能な領域を次第に拡大することで、含浸体１ａから蒸散する液体の量が経時的に減少するのを抑制できる。
【００５１】
また、本実施形態に係る蒸散具によれば、複数の縮小体２１，…が含浸体１ａを覆うように配置されている。したがって、複数の縮小体２１，…が気化するのに伴って容積を縮小することにより、複数の縮小体２１，…に覆われる含浸体１ａの領域が次第に縮小するため、露出される含浸体１ａの領域を次第に拡大することができる。
【００５２】
また、本実施形態に係る蒸散具によれば、液体が油性の材質で形成されていると共に、各縮小体２１が水性の材質で形成されている。これにより、各縮小体２１が含浸体１ａに接して配置されているが、液体が各縮小体２１に浸透しないため、各縮小体２１が経時的に気化して容積を縮小できる。
【００５３】
また、本実施形態に係る蒸散具によれば、帯状の含浸体１ａの表面１３，１４同士が重なるように配置されているため、容積を小さくするように設計することができる。また、介在体４が含浸体１ａの表面１３，１４同士間に介在されるため、流通路Ｘが含浸体１ａの表面１３，１４に沿って形成される。
【００５４】
そして、液体は、重なるように配置されている含浸体１ａの各表面１３，１４から蒸散した後、流通路Ｘを流通することで、外部に放出される。したがって、液体が含浸体１ａの上端部から蒸散されるだけでなく、液体が含浸体１ａの表面１３，１４からも蒸散される。その結果、コンパクト化を図りつつも、液体の蒸散能力を向上させることができる。
【００５５】
また、本実施形態に係る蒸散具によれば、浸透性を有する複数の筒状部４１，…の外周部が含浸体１ａの表面１３，１４に接するようにして、複数の筒状部４１，…が含浸体１ａの表面１３，１４に沿って並列されている。したがって、液体は、含浸体１ａから各筒状部４１に浸透した後、各筒状部４１から蒸散し、その後、各筒状部４１の内部に形成される流通路Ｘを流通することで、外部に放出される。
【００５６】
また、本実施形態に係る蒸散具によれば、複数の筒状部４１，…が連続的に連結されることで、介在体４が帯状に形成されている。そして、介在体４が含浸体１ａの表面１３，１４に沿って配置されているため、各筒状部４１が安定して含浸体１ａの表面１３，１４に沿って配置される。
【００５７】
なお、本発明に係る蒸散具は、上記した実施の形態に限定されるものではなく、本発明の要旨を逸脱しない範囲内において種々変更を加え得ることは勿論である。また、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５８】
例えば、上記第１実施形態に係る蒸散具においては、液体が含浸体１に含浸されている構成を説明し、そして、上記第２実施形態に係る蒸散具においては、液体が含浸体１ａ及び介在体４並びに貯留部５に含浸されている構成を説明したが、斯かる構成に限られない。例えば、図８に示すように、容器７ｂの底部７２に液体Ｙが貯留されると共に、含浸体１ｂの下端部が液体Ｙに浸漬されている構成でもよい。
【００５９】
また、上記実施形態に係る蒸散具においては、複数の縮小体２１，…が含浸体１，１ａを直接的に覆うように配置される構成を説明したが、斯かる構成に限られない。例えば、図８に示すように、被覆手段２ｂは、含浸体１ｂを覆う被覆体２２を備え、被覆体２２は、複数の縮小体２１，…が気化して縮小するのに伴って、含浸体１ｂの露出する領域を次第に拡大させる構成でもよい。
【００６０】
また、上記実施形態に係る蒸散具においては、液体が油性の材質で形成されると共に、縮小体２１が水性の材質で形成される構成を説明したが、斯かる構成に限られない。例えば、液体が水性の材質で形成されると共に、縮小体が油性の材質で形成される構成でもよく、また、図８に示すように、液体Ｙが縮小体２１に浸透するのを防止する構成とすることにより、液体Ｙ及び縮小体２１が同じ材質（水性又は油性の材質）でそれぞれ形成される構成でもよい。
【００６１】
ここで、図８に係る蒸散具について、詳細を以下に説明する。なお、図８において、図１〜図３の符号と同一の符号を付した部分は、第１実施形態と同一の構成又は要素を表し、図４〜図７の符号と同一の符号を付した部分は、第２実施形態と同一の構成又は要素を表す。
【００６２】
図８に係る蒸散具は、水性の材質で形成さている液体Ｙを蒸散させるべく、液体Ｙが含浸される含浸体１ｂと、含浸体１を覆うように配置される被覆手段２ｂとを備える。そして、蒸散具は、底部７２に液体Ｙが貯留される容器７ｂを備える。なお、図８においては、蓋体（図８において図示していない）８が容器７ｂから剥がされた状態を図示している。
【００６３】
含浸体１ｂは、柱状、より具体的には、略円柱状に形成されている。また、含浸体１ｂは、下端部（下面）が容器７ｂの底部７２（底面）に当接するように配置されている。そして、含浸体１ｂは、毛細現象が生じる材質で形成されているため、液体Ｙに浸漬されている下端部から液体Ｙを吸い込み、液体Ｙを蒸散する上端部に向けて、連続的に液体Ｙを供給するように構成されている。
【００６４】
被覆手段２は、気化するのに伴って容積が縮小する複数の縮小体２１，…と、含浸体１ｂを覆うように配置される被覆体２２とを備える。そして、被覆手段は、複数の縮小体２１，…が気化して縮小するのに伴って被覆体２２が変位することで、含浸体１ｂの露出する領域を次第に拡大するように構成されている。
【００６５】
被覆体２２は、含浸体１ｂを覆う被覆部２２１と、縮小体２１，…に下方側から支持される支持部２２２とを備える。そして、被覆体２２は、剛性を有して形成されており、例えば、容器７ｂと同様に、浸透性（吸湿性、吸水性）を有していないプラスチック等の硬質樹脂で形成されている。
【００６６】
被覆部２２１は、含浸体１ｂを内部に挿入することで、含浸体１ｂを覆うように円筒状に形成されている。そして、被覆部２２１は、自重により下降できるように、内周部が含浸体１ｂの外周部と離間している。即ち、被覆部２２１の内周部と含浸体１ｂの外周部との間には、隙間が形成されている。
【００６７】
また、被覆部２２１は、各縮小体２１が含浸体１ｂと接するのを防止すべく、含浸体１ｂと各縮小体２１との間に配置されている。換言すると、複数の縮小体２１，…は、被覆部２２１の外側で、軸線方向（上下方向）に沿って積み重ねられて並列されていると共に、周方向にも沿って並列されている。
【００６８】
支持部２２２は、縮小体２１，…に下方側から支持されるべく、被覆部２２１の上端部から径方向に突出して形成されている。即ち、支持部２２２は、縮小体２１，…に載置できるように、被覆部２２１の上端部にフランジ状に形成されている。そして、支持部２２２は、下方側から支持する各縮小体２１を気化させるべく、複数の孔部２２３，…を備える。
【００６９】
容器７ｂは、開口部７１ｂを有する上方側と底部７２を有する下方側とを区画するように、径方向内方に突出する区画部７３を備える。具体的には、容器７ｂは、上下方向における中途部が径方向内方に凹むように形成されることで、区画部７３を形成している。
【００７０】
区画部７３は、内周部が含浸体１ｂと所定距離だけ離間するように形成されているため、上面に載置される縮小体２１，…が含浸体１ｂとの間を通過するのを防止できる。さらに、区画部７３は、上下方向で支持部２２２と重なるように、内径が支持部２２２の外径よりも小さくなるように形成されているため、自重で下降する被覆体２２の支持部２２２を係止できる。
【００７１】
以上のように、図８に係る蒸散具によれば、初期の段階では、図８（ａ）に示すように、複数の縮小体２１，…に支持部２２２が支持されているため、被覆体２２の被覆部２２１が含浸体１ｂの上方側を覆っている。そして、含浸体１ｂの下方側も、区画部７３及び縮小体２１，…並びに被覆体２２より、外気とほぼ遮断されているため、初期の段階では、含浸体１ａの上端部（上面）からのみ液体Ｙが蒸散される。
【００７２】
そして、複数の縮小体２１，…が経時的に気化するのに伴って、図８（ｂ）に示すように、各縮小体２１の容積が縮小するため、縮小体２１，…に支持される被覆体２２が下降することなる。これにより、被覆体２２の被覆部２２１で覆われていた含浸体１ｂの上方側が次第に露出（開放）されるため、含浸体１ｂの上方側の外周部からも液体Ｙが蒸散できるようになる。
【００７３】
なお、縮小体２１が完全に気化して無くなると、被覆体２２の支持部２２２は、容器７ｂの区画部７３に載置することにより、区画部７３に支持される。このとき、被覆体２２の被覆部２２１の長さが所定長さに設定されているため、被覆体２２の下端部が容器７ｂの底面と当接することなく離間している。
【００７４】
また、上記実施形態に係る蒸散具においては、各縮小体２１が球状に形成される構成を説明したが、斯かる構成に限られない。例えば、各縮小体は、直方体状や、立方体状等に形成される構成でもよい。
【００７５】
また、本発明に係る蒸散具は、液体に香りを有する例えば芳香具等である構成において、各縮小体２１が香りを有する材質で形成される構成（例えば芳香剤）でもよい。斯かる構成によれば、縮小体２１が気化する際には、縮小体２１の有する香りと液体の有する香りとを混合させた香りとなり、縮小体２１が完全に気化した後には、液体が有する香りだけとなるため、香りを変化させることもできる。
【符号の説明】
【００７６】
１，１ａ，１ｂ…含浸体、２，２ａ，２ｂ…被覆手段、７，７ｂ…容器、８…蓋体、２１…縮小体、Ｙ…液体
【図１】
0005688325.tif 000002
【図２】
0005688325.tif 000003
【図３】
0005688325.tif 000004
【図４】
0005688325.tif 000005
【図５】
0005688325.tif 000006
【図６】
0005688325.tif 000007
【図７】
0005688325.tif 000008
【図８】
0005688325.tif 000009